(57)【要約】【課題】様々な調理器具に使用することができ、且つ、調理者が置かれた環境が燃焼排気により高温になることを防止することができる燃焼排気案内部材及びそれを備えたコンロ、五徳、燃焼排気整流板を提供する。【解決手段】調理用燃焼機器１の燃焼により下側より上昇する燃焼排気Ｅを受け入れる燃焼排気受入れ部と、燃焼排気受入れ部に受け入れた燃焼排気Ｅを、調理者が位置する調理機器前方に対して後方となる調理機器後方側に案内する燃焼排気案内部Ｙとを備えて構成され、燃焼排気案内部Ｙが、燃焼排気Ｅを調理機器後方側に案内する複数の案内板２と、燃焼排気Ｅを調理機器後方側に流れる燃焼排気流路４を案内板間に形成して位置決めする固定部材３とを備えて構成され、燃焼排気流路４の調理機器後方側の端部を、燃焼排気流路４を流れる燃焼排気Ｅが排出される燃焼排気部４ａとして備えた。【選択図】図２
2015172445.tif 000002
【特許請求の範囲】
【請求項１】
調理用燃焼機器の燃焼により下側より上昇する燃焼排気を受け入れる燃焼排気受入れ部と、
前記燃焼排気受入れ部に受け入れた前記燃焼排気を、調理者が位置する調理機器前方に対して後方となる調理機器後方側に案内する燃焼排気案内部とを備えて構成され、
前記燃焼排気案内部が、前記燃焼排気を調理機器後方側に案内する複数の案内板と、前記燃焼排気が調理機器後方側に流れる燃焼排気流路を前記案内板間に形成して位置決めする固定部材とを備えて構成され、
前記燃焼排気流路の調理機器後方側の端部を、前記燃焼排気流路を流れる前記燃焼排気が排出する排気部として備えた燃焼排気案内部材。
【請求項２】
前記複数の案内板が、それぞれ調理機器前方側に当該案内板が屈曲する屈曲部を備え、且つ、調理機器後方側において前記屈曲部を備えた案内板間に形成される前記燃焼排気流路の両端部が開口して構成され、当該開口した開口部が前記排気部とされる請求項１に記載の燃焼排気案内部材。
【請求項３】
前記複数の案内板が、それぞれ調理機器前方側から調理機器後方側に向かう前後方向に直交する横方向において左右対称形状とされている請求項１又は２に記載の燃焼排気案内部材。
【請求項４】
前記複数の案内板が、同形状又は相似形状の案内板で構成されている請求項１から３の何れか１項に記載の燃焼排気案内部材。
【請求項５】
前記固定部材の調理機器前方側に、前記調理機器前方への前記燃焼排気の漏れを防止する前面壁部が設けられている請求項１から４の何れか１項に記載の燃焼排気案内部材。
【請求項６】
前記案内板が、前記案内板の調理機器後方側に設けられた固定部において前記固定部材と固定され、前記固定部よりも調理機器前方側において前記案内板と前記固定部材との間に隙間が形成され、前記前面壁部が前記固定部材において調理機器前方側に固定された前記案内板により形成される前記隙間に設けられている請求項５に記載の燃焼排気案内部材。
【請求項７】
請求項１から６の何れか１項に記載の燃焼排気案内部材を備え、
前記調理用燃焼機器がバーナであり、
前記固定部材がコンロ本体の上面を覆う天板とされているコンロ。
【請求項８】
請求項１から６の何れか１項に記載の燃焼排気案内部材であり、
上部に調理器具が載置されて使用されるとともに、前記調理用燃焼機器としてのバーナを備えたバーナ調理部の上部に載置されて使用される五徳。
【請求項９】
調理機器前方側を示す前方側表示部が、前記案内板若しくは前記固定部材の一方又は両方に設けられている請求項８に記載の五徳。
【請求項１０】
請求項１から６の何れか１項に記載の燃焼排気案内部材から成り、
前記固定部材が板状体で構成され、
前記板状体の上面に調理器具と接触する接触面を備え、
前記板状体の下面に前記複数の案内板が下方に向けて立設されている燃焼排気整流板。
【請求項１１】
調理機器前方側を示す前方側表示部が、前記案内板若しくは前記固定部材の一方又は両方に設けられている請求項１０に記載の燃焼排気整流板。
【発明の詳細な説明】
【技術分野】
【０００１】
本発明は、調理用燃焼機器の燃焼により発生する燃焼排気を受け入れて案内する燃焼排気案内部材及びそれを備えたコンロ、五徳、燃焼排気整流板に関する。
【背景技術】
【０００２】
従来の燃焼排気案内部材として、下記の特許文献１には、円環状に形成された五徳リングの上面に、上方から見て渦巻き形状となる五徳爪を凸部として形成し、バーナで発生した燃焼排気を、五徳リング上面と五徳爪と五徳爪に載置される調理容器の底面とにより囲まれる渦巻き状に区画された複数の燃焼排気通路によって、燃焼排気を渦巻き状に五徳リングの外周に向かって案内して、五徳リングの外周の全周囲から燃焼排気を排出する燃焼排気案内部材としての五徳が開示されている。この五徳は、燃焼排気が保有する熱を有効利用しようとするものである。
【０００３】
また、下記の特許文献２には、柄部を備えた片手鍋の底部外表面に複数の直線状凸部を平行に形成して、底部外表面と複数の直線状凸部とによって燃焼排気案内部材を形成して、バーナで発生した燃焼排気を案内するものである。この直線状凸部は、片手鍋の上部開口部の外周に設けられた柄部が延びる方向に直交する方向に延びて形成されているので、この片手鍋をコンロの前方側に柄部を配置する状態でコンロに載置すると、複数の直線状凸部の間に、燃焼排気を案内する燃焼排気通路がコンロの横幅方向に延びる状態で形成される。よって、この片手鍋の底部に形成された燃焼排気案内部材によって案内された燃焼排気はコンロの横方向に排出される。
【先行技術文献】
【特許文献】
【０００４】
【特許文献１】特開２００８−２６７８０８号公報
【特許文献２】特開２００２−１７７１３４号公報
【発明の概要】
【発明が解決しようとする課題】
【０００５】
しかしながら、特許文献１の五徳では、五徳の外周の全周囲から燃焼排気が排出されるので、調理者が位置するコンロの前方側がその燃焼排気により高温になることを余儀なくされる。
また、特許文献２の燃焼排気案内部材では、燃焼排気がコンロの横方向に排出されるので、横方向に排出された高温の燃焼排気の拡散により調理者が位置するコンロの前方側に流れる場合もある。また、燃焼排気案内部材が鍋底に一体的に設けられているので、その他の調理器具に対する汎用性がなく、調理器具ごとに燃焼排気案内部材を設けることが必要となる。
【０００６】
本発明は、かかる点に着目してなされたものであり、その目的は、様々な調理器具に使用することができ、且つ、調理者が置かれた環境が燃焼排気により高温になることを防止することができる燃焼排気案内部材及びそれを備えたコンロ、五徳、燃焼排気整流板を提供することにある。
【課題を解決するための手段】
【０００７】
この目的を達成するための本発明に係る燃焼排気案内部材の第１特徴構成は、
調理用燃焼機器の燃焼により下側より上昇する燃焼排気を受け入れる燃焼排気受入れ部と、
前記燃焼排気受入れ部に受け入れた前記燃焼排気を、調理者が位置する調理機器前方に対して後方となる調理機器後方側に案内する燃焼排気案内部とを備えて構成され、
前記燃焼排気案内部が、前記燃焼排気を調理機器後方側に案内する複数の案内板と、前記燃焼排気が調理機器後方側に流れる燃焼排気流路を前記案内板間に形成して位置決めする固定部材とを備えて構成され、
前記燃焼排気流路の調理機器後方側の端部を、前記燃焼排気流路を流れる前記燃焼排気が排出する排気部として備えた点にある。
【０００８】
上記燃焼排気案内部材の第１特徴構成によれば、燃焼排気受入れ部に受け入れた燃焼排気を、案内板間に形成された燃焼排気流路により調理者が位置する調理機器前方に対して後方となる調理機器後方側に案内することができる。
また、調理機器後方側に案内した燃焼排気を、燃焼排気流路の調理機器後方側の端部から排出するので、調理者が位置する調理機器前方からできるだけ離れた調理機器後方側の端部において燃焼排気を排出することができる。よって、調理者が位置する調理機器前方が燃焼排気により高温となることを防止することができる。
【０００９】
また、固定部材と複数の案内板とを、鍋等の調理機器と独立した構成とすることで、様々な調理器具に対して使用することが可能となる。
【００１０】
本発明に係る燃焼排気案内部材の第２特徴構成は、上記燃焼排気案内部材の第１特徴構成に加えて、
前記複数の案内板が、それぞれ調理機器前方側に当該案内板が屈曲する屈曲部を備え、且つ、調理機器後方側において前記屈曲部を備えた案内板間に形成される前記燃焼排気流路の両端部が開口して構成され、当該開口した開口部が前記排気部とされる点にある。
【００１１】
上記燃焼排気案内部材の第２特徴構成によれば、複数の案内板の屈曲部を調理機器前方側に位置させて燃焼排気流路を形成し、その燃焼排気流路の調理機器後方側の両端部の開口部を排気部とするので、簡単な構成で、燃焼排気を調理機器前方側から調理機器後方側に案内する燃焼排気流路と排気部とを構成することができる。
【００１２】
本発明に係る燃焼排気案内部材の第３特徴構成は、上記燃焼排気案内部材の第１乃至第２特徴構成に加えて、
前記複数の案内板が、それぞれ調理機器前方側から調理機器後方側に向かう前後方向に直交する横方向において左右対称形状とされている点にある。
【００１３】
上記燃焼排気案内部材の第３特徴構成によれば、受け入れた燃焼排気を燃焼排気流路の横方向の左右に均等に分散させて調理機器後方側に案内して排気部から排出することができ、燃焼排気流路によって調理機器後方側への燃焼排気の案内を円滑に行うことができる。
【００１４】
本発明に係る燃焼排気案内部材の第４特徴構成は、上記燃焼排気案内部材の第１乃至第３特徴構成に加えて、
前記複数の案内板が、同形状又は相似形状の案内板で構成されている点にある。
【００１５】
上記燃焼排気案内部材の第４特徴構成によれば、複数の案内板を所定の間隔で固定部材に固定することで、複数の案内板の間に形成される燃焼排気流路を一定の流路幅に調整することができ、燃焼排気流路によって調理機器後方側への燃焼排気の案内を円滑に行うことができる。
【００１６】
本発明に係る燃焼排気案内部材の第５特徴構成は、上記燃焼排気案内部材の第１乃至第４特徴構成に加えて、
前記固定部材の調理機器前方側に、前記調理機器前方への前記燃焼排気の漏れを防止する前面壁部が設けられている点にある。
【００１７】
上記燃焼排気案内部材の第５特徴構成によれば、固定部材に前面壁部を立設して設けることで、受け入れた燃焼排気が調理者の位置する調理機器前方側に漏れることを防止することができる。これにより、調理者が位置する調理機器前方が燃焼排気により高温になることを防止することができる。
【００１８】
本発明に係る燃焼排気案内部材の第６特徴構成は、上記燃焼排気案内部材の第５特徴構成に加えて、
前記案内板が、前記案内板の調理機器後方側に設けられた固定部において前記固定部材と固定され、前記固定部よりも調理機器前方側において前記案内板と前記固定部材との間に隙間が形成され、前記前面壁部が前記固定部材において調理機器前方側に固定された前記案内板により形成される前記隙間に設けられている点にある。
【００１９】
上記燃焼排気案内部材の第６特徴構成によれば、案内板と固定部材との間に隙間が形成されているので、その隙間から外部の空気を取り込んで燃焼排気を発生する調理用燃焼機器に供給することができ、調理用燃焼機器における燃焼を促進することができる。
また、固定部材において調理機器前方側に固定された案内板により形成される隙間に前面壁部が設けられているので、できるだけ調理機器前方側において燃焼排気流路から燃焼排気が流出することを防止することができるので、受け入れた燃焼排気を調理機器前方側に漏らさずに調理機器後方側に案内することができる。
【００２０】
上記目的を達成するための本発明に係るコンロの第１特徴構成は、
上記第１乃至第６特徴構成の何れかの燃焼排気案内部材を備え、
前記調理用燃焼機器がバーナであり、
前記固定部材がコンロ本体の上面を覆う天板とされている点にある。
【００２１】
上記コンロの第１特徴構成によれば、コンロ本体の上面を覆う天板に複数の案内板を固定して燃焼排気を調理機器後方側に案内する燃焼排気流路を形成することができる。
そして、複数の案内板の上方に燃焼排気によって加熱する調理器具を載置した状態で、コンロに備えられたバーナから発生する燃焼排気を燃焼排気受入れ部から受け入れて、受け入れた燃焼排気を調理者が位置するコンロ前方側に対して後方側となるコンロ後方に案内して、燃焼排気流路のコンロ後方側の端部から燃焼排気を排出することができる。よって、調理者が位置するコンロ前方が燃焼排気により高温となることを防止することができる。
【００２２】
上記目的を達成するための本発明に係る五徳の第１特徴構成は、
上記第１乃至第６特徴構成の何れかの燃焼排気案内部材であり、
上部に調理器具が載置されて使用されるとともに、前記調理用燃焼機器としてのバーナを備えたバーナ調理部の上部に載置されて使用される点にある。
【００２３】
上記五徳の第１特徴構成によれば、燃焼排気流路を形成する複数の案内板の上方に燃焼排気によって加熱する調理器具を載置した状態で、バーナから発生する燃焼排気を受け入れて、受け入れた燃焼排気を調理者が位置する調理機器前方側に対して後方となる調理機器後方側に案内して、燃焼排気流路の調理機器後方側の端部から燃焼排気を排出することができる。よって、調理者が位置する調理機器前方側が燃焼排気により高温となることを防止することができる。
【００２４】
本発明に係る五徳の第２特徴構成は、上記五徳の第１特徴構成に加えて、
調理機器前方側を示す前方側表示部が、前記案内板若しくは前記固定部材の一方又は両方に設けられている点にある。
【００２５】
上記五徳の第２特徴構成によれば、排気部が調理機器後方側に位置するように調理機器前方側を示す前方側表示部を設けて、調理者がその前方側表示部を確認して、バーナ調理部の上部に載置して使用することで、受け入れた燃焼排気を調理者が位置する調理機器前方に対して後方となる調理機器後方側に案内することができる。
【００２６】
上記目的を達成するための本発明に係る燃焼排気整流板の第１特徴構成は、
上記第１乃至第６特徴構成の何れかの燃焼排気案内部材から成り、
前記固定部材が板状体で構成され、
前記板状体の上面に調理器具と接触する接触面を備え、
前記板状体の下面に前記複数の案内板が下方に向けて立設されている点にある。
【００２７】
上記燃焼排気整流板の第１特徴構成によれば、板状体とその板状体の下面に下方に向けて立設した複数の案内板とで燃焼排気を調理機器後方側に案内する燃焼排気流路を形成することができる。そして、板状体の下方側から受け入れた燃焼排気を調理者が位置する調理機器前方に対して後方となる調理機器後方に燃焼排気流路によって案内して、燃焼排気流路の調理機器後方側の端部から調理機器後方側に向けて燃焼排気を排出することができる。よって、調理者が位置する調理機器前方側が燃焼排気により高温となることを防止することができる。
また、板状体の下面では燃焼排気流路が複数の案内板と板状体で形成され、燃焼排気との接触面積が広く構成されているので、燃焼排気流路を流れる燃焼排気の熱を、複数の案内板と板状体とを介して板状体の上面の接触面に載置された調理器具に効率よく伝えることができる。
【００２８】
本発明に係る燃焼排気整流板の第２特徴構成は、上記燃焼排気整流板の第１特徴構成に加えて、
調理機器前方側を示す前方側表示部が、前記案内板若しくは前記固定部材の一方又は両方に設けられている点にある。
【００２９】
上記燃焼排気整流板の第２特徴構成によれば、排気部が調理機器後方側に位置するように調理機器前方側を示す前方側表示部を設けて、調理者がその前方側表示部を確認して、バーナ調理部の上部に載置して使用することで、受け入れた燃焼排気を調理者が位置する調理機器前方に対して後方となる調理機器後方側に案内することができる。
【図面の簡単な説明】
【００３０】
【図１】本発明の第１実施形態に係るコンロの概略斜視図
【図２】本発明の第１実施形態に係るコンロの燃焼排気案内部材の斜視図
【図３】本発明の第１実施形態に係るコンロの燃焼排気案内部材の断面図
【図４】本発明の第２実施形態に係る五徳の調理機器への設置状態を示す図
【図５】本発明の第２実施形態に係る五徳の斜視図
【図６】本発明の第３実施形態に係る燃焼排気整流板の下面図
【図７】本発明の第３実施形態に係る燃焼排気整流板の使用状態を示す図
【図８】別実施形態に係るコンロの燃焼排気案内部材の拡大図
【図９】別実施形態に係るコンロの燃焼排気案内部材の拡大図
【発明を実施するための形態】
【００３１】
〔第１実施形態〕
以下図面に基づいて、本発明の燃焼排気案内部材を備えたガスコンロについて説明する。図１に示すように、上部が開口した長方体状のガスコンロ本体Ｈの上面部の左方側及び右方側の夫々にコンロバーナ１を備え、且つ、ガスコンロ本体Ｈの内部にグリル部Ｇを備えるガスコンロＳが構成されている。
このガスコンロＳは、キッチンカウンタに形成したコンロ装着口に上方から挿入して組付ける、いわゆる組付式タイプとして構成されるものである。
【００３２】
ガスコンロ本体Ｈの上部は、天板３にて覆われ、ガスコンロ本体Ｈの上面部の後部側には、グリル部Ｇの排気を排出するグリル排気口３ｂが形成されている。また、天板３のコンロバーナ１の夫々に対応する位置には、複数の案内板２が立設されて備えられている。この複数の案内板２の上部に、コンロバーナ１の夫々にて加熱される鍋等の調理器具Ｚを載置可能に構成されている。
そして、詳しくは後述するが、天板３と複数の案内板２とで、夫々のコンロバーナ１で発生する燃焼排気ＥをガスコンロＳの調理機器後方側Ｒに案内する燃焼排気案内部材５が構成されている。
【００３３】
ガスコンロＳの前面部の右側箇所には、２つのコンロバーナ１に対する操作部Ｊが設けられ、その操作部Ｊには、コンロバーナ１の点火及び消火に加え、火力調節を行うことができる操作具等が配設されている。
一方、ガスコンロＳの前面の左側箇所、つまり、中央側に位置するグリル部Ｇの左側箇所には、グリル部Ｇに設けられたグリルバーナ（図示せず）に対するグリル用設定操作部Ｃが配設されている。
【００３４】
図３に基づいて、コンロバーナ１について説明する。
ガスコンロ本体Ｈの上面部の左方側及び右方側のコンロバーナ１は同様に構成されるものであり、コンロバーナ１は、ガスノズルＮからガス燃料が供給される混合管部１０ａ及びバーナボディ部１０ｂを備えるバーナ本体１０と、バーナボディ部１０ｂの上部に着脱自在に載置されるバーナキャップ１１とを備えている。
【００３５】
天板３におけるコンロバーナ設置箇所には、バーナが挿通される天板開口３ａが形成されている。そして、バーナ本体１０が、バーナボディ部１０ｂを天板開口３ａ内に挿通された状態で、ガスコンロ本体Ｈに支持されて固定されている。
【００３６】
その他、コンロバーナ１には、コンロバーナ１を点火する点火用の点火プラグＰが備えられている。また、図示はしないが、複数の案内板２の上部に載置された鍋等の調理器具Ｚに接触して鍋等の調理器具Ｚの存否を検出し且つその温度を検出するための被加熱物検出センサが設けられている。
【００３７】
次に、図２及び図３に基づいて、ガスコンロ本体Ｈの上部に設けられた燃焼排気案内部材５について説明する。
この燃焼排気案内部材５は、上述の如く、天板３と複数の案内板２とで構成され、コンロバーナ１の燃焼により下側より上昇する燃焼排気Ｅを受け入れる燃焼排気受入れ部Ｘ（図２参照）と、受け入れた燃焼排気Ｅを、調理者が位置する調理機器前方に対して反対となる調理機器後方側Ｒに案内する燃焼排気案内部Ｙとを備えている。
【００３８】
燃焼排気受入れ部Ｘは、複数の案内板２の下方側部位によって構成されている（図２参照）。また、燃焼排気案内部Ｙは、燃焼排気Ｅを調理機器後方側Ｒに案内する複数の案内板２と、燃焼排気Ｅが調理機器後方側Ｒに流れる燃焼排気流路４を案内板間に形成して位置決めする固定部材としての天板３とを備えて構成されている。ここで、案内するとは、本実施形態においては、複数の案内板２の上部に被調理物（被加熱物）である調理器具Ｚが載置された状態で燃焼排気Ｅを調理機器後方側Ｒに案内することを意味する。
また、この燃焼排気流路４の調理機器後方側Ｒの端部が、燃焼排気流路４を流れる燃焼排気Ｅが排出される排気部４ａとして備えられている。これにより、燃焼排気Ｅを調理者が位置する調理機器前方側Ｆからできるだけ離れた調理機器後方側Ｒの端部から外部に排出することができる。
【００３９】
複数の案内板２について説明する。
夫々の案内板２は、上面視Ｖ字状に形成され天板３に立設されて固定されている。夫々の案内板２は、案内板２の調理機器後方側Ｒに設けられた固定部６において天板３と固定され、固定部６の調理機器前方側Ｆにおいて案内板２と天板３との間に隙間７が形成されている。この隙間７からコンロバーナ１の燃焼において必要となる空気が供給される。
【００４０】
また、夫々の案内板２は、調理機器前方側Ｆに案内板２が屈曲する屈曲部２ａを備え、且つ、調理機器後方側Ｒにおいて屈曲部２ａを備えた案内板２間に形成される燃焼排気流路４の両端部４ｂが開口して構成され、この開口した開口部が上述したように排気部４ａとされる。また、複数の案内板２は同形状とされ、それぞれ調理機器前方側Ｆから調理機器後方側Ｒに向かう前後方向に直交する横方向において左右対称形状とされている。これにより、燃焼排気Ｅを燃焼排気流路４の横方向の左右に均等に分散させて、調理機器後方側Ｒへの燃焼排気Ｅの案内を円滑に行うことができる。
【００４１】
さらに、天板３の調理機器前方側Ｆに、調理機器前方側Ｆへの燃焼排気Ｅの漏れを防止する前面壁部９が設けられている。具体的には、前面壁部９は、天板３において最も調理機器前方側Ｆに固定された案内板２と天板３とで形成された隙間７の調理機器前方側Ｆの一部に設けられている。これにより、燃焼排気Ｅが燃焼排気流路４から調理機器前方側Ｆに漏れることを防止することができる。
【００４２】
〔第２実施形態〕
上記第１実施形態では、本発明の燃焼排気案内部材５を、ガスコンロＳに組み込む構成とする場合の実施形態を示したが、この第２実施形態では、本発明の燃焼排気案内部材５をガスコンロ等の天板に載置する五徳Ｕとして構成する場合の実施形態を示す。
【００４３】
図４及び図５に基づいて本実施形態の五徳Ｕについて説明する。
図４に示すように、本実施形態の五徳Ｕは、五徳Ｕの上部に調理器具Ｚが載置されて使用されるとともに、調理用燃焼機器としてのコンロバーナ１を備えたバーナ調理部の上部に載置されて使用される。この実施形態では、複数の案内板２を固定する固定部材が、載置対象位置に五徳Ｕを載置可能に構成された載置部材２３として構成されている。よって、燃焼排気案内部材５が載置部材２３と複数の案内板２とで構成されている。この構成の場合も、五徳Ｕの上部に被調理物（被加熱物）である調理器具Ｚが載置された状態で燃焼排気Ｅを調理機器後方側Ｒに案内する案内機能が得られる。
【００４４】
また、図４及び図５に示すように、載置部材２３には、五徳Ｕの調理機器前方側Ｆを示す前方側表示部８が、載置部材２３の調理機器前方側Ｆの端部に設けられている。この前方側表示部８は、上面視円弧状の突起部として載置部材２３に設けられている。よって、調理者は、前方側表示部８がガスコンロＶ等の調理機器の調理機器前方側Ｆに位置するように調理機器に設置して使用する。そして、五徳Ｕの載置対象となるガスコンロＶの天板２４に五徳載置部２４ａを形成することで、五徳Ｕの載置部材２３を天板２４の五徳載置部２４ａに嵌め込む状態で、五徳ＵをガスコンロＶに対して位置決めして設置することができる。
【００４５】
〔第３実施形態〕
上記第１実施形態では、本発明の燃焼排気案内部材５を、ガスコンロに組み込む構成とする場合の実施形態を示したが、この第３実施形態では、本発明の燃焼排気案内部材５を燃焼排気整流板Ｔとして構成する場合の実施形態を示す。
【００４６】
図６及び図７に基づいて本実施形態の燃焼排気整流板Ｔについて説明する。
図６に示すように、本実施形態の燃焼排気整流板Ｔは、複数の案内板２を固定する固定部材が板状体３３で構成され、板状体３３の上面に調理器具Ｚと接触する接触面３３ａ（図７参照）を備え、板状体３３の下面に複数の案内板２が下方に向けて立設されている。よって、燃焼排気案内部材５が板状体３３と複数の案内板２とで構成されている。この構成の場合は、板状体３３が複数の案内板２の上部に備えられるので、この燃焼排気整流板Ｔ自体によって、燃焼排気Ｅを調理機器後方側Ｒに案内する案内機能が得られる。
また、板状体３３には、調理者が位置する調理機器前方側Ｆを示す前方側表示部８が、板状体３３の調理機器前方側Ｆの端部に設けられている。この前方側表示部８は、上面視円弧状の突起部として板状体３３の外周部に設けられている。
【００４７】
そして、図７に示すように、この燃焼排気整流板Ｔは、案内板２の下方端部をガスコンロＷ等の調理機器に備えられた五徳Ｗ１等の上部に載置して使用する。よって、調理用燃焼機器としてのコンロバーナ１の燃焼排気Ｅを受け入れる燃焼排気受入れ部Ｘは、複数の案内板２の板状体３３と接続されている端部と反対側の端部によって構成される。
また、調理者は前方側表示部８がガスコンロＷ等の調理機器の調理機器前方側Ｆに位置するように五徳Ｗ１等の上部に載置して使用する。
【００４８】
〔別実施形態〕
最後に、本発明の別実施形態について説明する。尚、以下に説明する各実施形態の構成は、夫々単独で適用されるものに限られず、矛盾が生じない限り、他の実施形態の構成と組み合わせて適用することも可能である。
（１）上記実施形態では、複数の案内板２は同形状として構成したが、これに限らず、複数の案内板２を相似形状として構成してもよい。
【００４９】
（２）上記実施形態では、調理者が位置する調理機器前方側Ｆへの燃焼排気Ｅの漏れを防止する前面壁部９を、固定部材の最も調理機器前方側Ｆに固定された案内板２と天板３とによって形成された隙間７に設けたが、これに限らず、前面壁部９を固定部材の調理機器前方側Ｆにおいて、案内板２と離間した位置に設けてもよい。
【００５０】
（３）上記実施形態では、調理機器前方側Ｆを示す前方側表示部８を、固定部材に設けたが、これに限らず、前方側表示部８が案内板２に設けてもよく、固定部材と案内板２との両方に設けてもよい。
【００５１】
（４）上記実施形態では調理機器前方側Ｆを示す前方側表示部８を、上面視円弧状の突出部として、固定部材の調理機器前方側Ｆに設けたが、前方側表示部８の形状及び設置位置は適宜変更することができる。
【００５２】
（５）上記実施形態では、複数の案内板２の形状を上面視Ｖ字状に形成したが、これに限らず、案内板２の形状を上面視Ｕ字状又は上面視矩形状に形成することができる。図８に複数の案内板２の形状を上面視Ｕ字状に形成した例を示す。また、図９に複数の案内板２の形状を上面視矩形状に形成した例を示す。
【００５３】
（６）上記実施形態では、燃焼排気案内部材５を３つの案内板２で構成したが、これに限らず、燃焼排気案内部材５を、２つの案内板２で構成してもよく、４つ以上の案内板２で構成してもよい。
【００５４】
（７）上記第１実施形態では、本発明の燃焼排気案内部材５を、キッチンカウンタに組み付けられるガスコンロに適用する場合を例示したが、これに限らず、設置面に載置する形態のガスコンロ等、各種形式のガスコンロにも適用できるものである。
【００５５】
（８）上記第１実施形態では、本発明の燃焼排気案内部材５を、左右一対のコンロバーナ１を備えるガスコンロに適用する場合を例示したが、本発明の燃焼排気案内部材５は、３つ以上のコンロバーナ１を備えるガスコンロや、一つのコンロバーナ１を備えるガスコンロ等、種々の形態のガスコンロに適用できるものである。
【産業上の利用可能性】
【００５６】
以上説明したように、様々な調理器具に使用することができ、且つ、調理者が置かれた環境が燃焼排気により高温になることを防止することができる燃焼排気案内部材及びそれを備えたコンロ、五徳、燃焼排気整流板を提供することができる。
【符号の説明】
【００５７】
１      コンロバーナ（調理用燃焼機器）
２      案内板
２ａ    屈曲部
３      天板（固定部材）
４      燃焼排気流路
４ａ    燃焼排気部
５      燃焼排気案内部材
６      固定部
７      隙間
８      前方側表示部
９      前面壁部
３３    板状体
Ｅ      燃焼排気
Ｆ      調理機器前方側
Ｈ      コンロ本体
Ｒ      調理機器後方側
Ｓ      ガスコンロ（コンロ）
Ｕ      五徳
Ｔ      燃焼排気整流板
Ｙ      燃焼排気案内部
Ｘ      燃焼排気受入れ部
Ｚ      調理器具
【図１】
2015172445.tif 000003
【図２】
2015172445.tif 000004
【図３】
2015172445.tif 000005
【図４】
2015172445.tif 000006
【図５】
2015172445.tif 000007
【図６】
2015172445.tif 000008
【図７】
2015172445.tif 000009
【図８】
2015172445.tif 000010
【図９】
2015172445.tif 000011